(57)【要約】【課題】  これまでなかった胎児用の柩及び遺族が胎児に対して供養の思いを込めることができる寝具、産着、遺骨を収納する容器及びそのカバー等附属セットを新たに提供すること。【解決手段】  胎児用柩は木製で、柩外側にはかわいらしい絵柄の紙を貼り、内側には白布を張り巡らし、底面に防水シートを備えたもの。副葬品として掛け・敷布団、産着・帽子、消臭用のかおり袋とメッセージカードを備え、火葬後の遺骨収納容器とそのカバーをセットとしている。【選択図】図５
0003131935.tif 000002
【実用新案登録請求の範囲】
【請求項１】
木材を使用し、上方に開口部を有する箱状の柩本体と開口部にきちんと収納できる大きさの蓋とを備え、外側にはかわいらしい絵柄の紙を貼り、内側には白布を張り巡らせ、柩本体の内部底面に防水シートを備えたことを特徴とする胎児用柩。
【請求項２】
更に、娩出された胎児を寝かせる柩本体に収納できる大きさの敷布団と掛け布団を備えたことを特徴とする請求項１記載の胎児用柩。
【請求項３】
請求項１又は２記載の柩に、小さな産着、帽子、ハーブの香り袋、胎児へのメッセージカード、遺骨収納用容器及びその容器カバーの中から選択して組み合わせて利用できることを特徴とする胎児用柩セット。
【考案の詳細な説明】
【技術分野】
【０００１】  本考案は、胎児用柩及び柩の中に収納できる寝具・産着と、遺骨を収納する容器及び容器カバーを一式とする胎児供養セットに関する。
【背景技術】
【０００２】  これまで子供用の柩はあっても、極小の胎児専用柩がなかったため、医療機関で流産や死産で生まれた胎児には、薬の空き箱や他の用途で使用した容器に脱脂綿等を敷き、その上にガーゼ等で包んだ胎児を寝かせて遺族に渡すような現状であった。また医療機関からの説明で、遺族自身が葬儀社へ子供用柩と骨壷を購入しに出向く場合もあり、不慣れな遺族が子供の予期せぬ死亡のショックの最中での一連の作業は、遺族の悲しみをいっそう深める結果となっている。
【考案の開示】
【考案が解決しようとする課題】
【０００３】  これまでなかった胎児用の柩及び遺族が胎児に対して供養の思いを込めることができる寝具、産着、遺骨を収納する容器及びそのカバー等柩附属セットを新たに提供すること。
【課題を解決するための手段】
【０００４】    胎児用柩は３ｍｍ前後の厚さを有する木製で、全体として小さなサイズの柩とする。その上方に開口部を有する箱状の柩本体と開口部にきちんと収納できる大きさの蓋とを備え、外側にはかわいらしい絵柄の紙を貼り、内側には白布を張り巡らせ、柩本体の内部底面に防水シートを備えた胎児用柩を製作する。柩に添える副葬品として、柩内に収納できる大きさの敷布団、掛け布団及び極めて小さな産着及び帽子、遺骨収納用容器及びその容器カバーをあらかじめ製作し、必要に応じて提供できる形をとる。
【考案の効果】
【０００５】    胎児専用の柩があることで、人間としての尊厳を守り、不幸にして元気に誕生できなかった胎児に対し、両親として手厚く供養することが可能となる。胎児に対して心からの供養ができれば両親の立ち直りのきっかけを提供することも可能となる。
【考案を実施するための最良の形態】
【０００６】    以下、添付図面に従って説明する。図１は、胎児用柩の全体図である。１は柩本体の蓋部分であり、ベニヤ板などを材料として用い、表面にはかわいらしい絵柄の紙を貼る。２は蓋の左端に設けた木製の飾りであり、胎児の頭部の方向を示すものとしている。蓋裏側には、一回り小さいサイズの板を張り合わせ、蓋を閉めた際に安定し動がない形にした。柩の大きさは小さい方が縦１５ｃｍ、横２２ｃｍ、高さ１０．５ｃｍで、大きい方が縦１８ｃｍ、横３０ｃｍ、高さ１２．５ｃｍとした。この大きさは医療関係者の協力を得て決めた大きさである。図２は、柩の断面図である。柩内側には５の白布を貼り、内部底面には防水シートを敷いてある。防水シートの上に８の敷布団を敷き、その上に６の胎児を寝かせ、９の掛け布団を掛ける。また、図面には示していないがその他のセット用品も同時に納めることができる。図３は、遺体に着せる着衣を新生児に着せる産着と同一と考え、胎児用にサイズを整えて準備した。小さな産着は妊娠初期の胎児用とし、着丈１７ｃｍ、袖から袖までの長さを２３．５ｃｍ、胴幅１４ｃｍとした。大きな産着は妊娠中期までの胎児用とし、着丈２３．５ｃｍ、袖から袖までの長さを２８ｃｍ、胴幅は１９．５ｃｍとした。産着１０はやわらかめの晒しを用いて作り、縫い目１１はすべて外側にくるようにしてある。前合わせの部分にはリボン１２をつけ、内側はマジックテープでおさえるようにした。また、産着と同じの生地による帽子１３を添えることで新生児と変らない一揃えとした。図４には柩に一緒に納めることができるメッセージカード１６及びその封筒１５を示してある。【０００７】  胎児が母体から娩出され産湯につかることのないままの状態で納棺されることを考慮し、時間経過により異臭発生が予測されることから、消臭効果を有するハーブを用いたかおり袋１７をセットに組み込んだ。遺骨を収納する容器１８はプラスティック製とし、その容器カバー１９はレース編みで作ったもので『おくるみ』のような温かいイメージで遺族のもとに戻れるように考案した。
ここで示した柩などの大きさは一つの事例を示したのであり、これに限定されるものではない。
本考案の柩セットは、柩、布団、産着と帽子、かおり袋とメッセージカードならびに遺骨収納容器及びそのカバーから構成されるものである。
【産業上の利用可能性】
【０００８】    医療機関もしくは葬儀社に常備することで、突発的に起こる流産・死産の胎児の扱いに関係機関側としての最良の形で遺族に対処する事ができる。遺族の方もメッセージカードに自分たちの思いを記載し、いろいろな附属品を同時に納めることで最善の供養を行なえるようになる。場合によっては、ペットの供養に用いることも考えられる。
【図面の簡単な説明】
【０００９】
【図１】本考案の胎児用柩セットの柩本体の正面図と蓋を真横から見たもの
【図２】柩の断面図
【図３】セット内に組み込んである産着と帽子、柩内に納める布団のセット
【図４】納棺の際一緒に納めるメッセージカードと封筒、かおり袋、遺骨収納容器とその容器を納める容器カバー
【符号の説明】
【００１０】  １柩の蓋
２目印
３蓋の裏側
４柩本体
５柩内側の白布
６胎児
７防水シート
８敷布団
９掛け布団
１０産着
１１縫い目
１２リボン
１３帽子
１４掛け布団レース
１５メッセージカード用封筒
１６メッセージカード
１７かおり袋
１８遺骨収納容器
１９容器カバー
【図１】
0003131935.tif 000003
【図２】
0003131935.tif 000004
【図３】
0003131935.tif 000005
【図４】
0003131935.tif 000006
【図５】
0003131935.tif 000007
【手続補正書】
【提出日】平成19年2月23日(2007.2.23)
【手続補正１】
【補正対象書類名】明細書
【補正対象項目名】０００９
【補正方法】変更
【補正の内容】
【０００９】
【図１】本考案の胎児用柩セットの柩本体の正面図と蓋を真横から見たもの
【図２】柩の断面図
【図３】セット内に組み込んである産着と帽子、柩内に納める布団のセット
【図４】納棺の際一緒に納めるメッセージカードと封筒、かおり袋、遺骨収納容器とその容器を納める容器カバー
【図５】本考案の柩セットすべてを組み合わせたもの